(57)【特許請求の範囲】
【請求項１】
釣り糸が周面から竿体内部に導入され穂先から導出される中通し竿であって、
複数の竿体と、
前記竿体のうち竿元側竿体に径方向に着脱可能に装着され、内部に釣り糸の案内経路が形成された導入部本体と、
前記導入部本体の竿先側に形成され前記案内経路を前記竿体内部に連通するための連通口と、
前記導入部本体に形成され外部と前記案内経路とを連通するための糸導入口と、
を備え、
前記導入部本体の竿先側には、前記連通口側で前記手元側竿体に収納される前記竿体の後端をふらつくことなく保持するための先広がりテーパ状の後端保持部が形成されている、
中通し竿。
【請求項２】
前記糸導入口は、前記釣り糸を竿先側に斜めに導入するように前記導入部本体に形成されている、中通し竿。
【請求項３】
前記糸導入口及び連通口には硬質リングが嵌め込まれている、請求項１又は２に記載の中通し竿。
【請求項４】
前記案内経路は径方向に外部に開口している、請求項１から３のいずれかに記載の中通し竿。
【請求項５】
前記案内経路は、前記連通口から糸導入口に滑らかに連続するガイド面を有している、請求項１から４のいずれかに記載の中通し竿。
【請求項６】
前記連通口には硬質リングが前記竿元側竿体と同心に埋め込まれている、
請求項１から５のいずれかに記載の中通し竿。
【発明の詳細な説明】
【０００１】
【発明の属する技術分野】
本発明は、複数の竿体を有し、釣り糸が周面から竿体内部に導入され穂先から導出される中通し竿に関する。
【０００２】
【従来の技術】
１又は複数の中子竿体が手元側竿体の内部に収納された振出式の釣り竿において、釣り糸を竿体内部に挿通可能な中通し竿が知られている。中通し竿では、手元側竿体の外周面に形成された糸導入口から竿体内部に形成された釣り糸経路に釣り糸が導入され、釣り糸経路を通過して穂先側の中子竿体の先端に装着されたトップガイドから外部に釣り糸が導出される。
【０００３】
このような構成の振出式の中通し竿において、手元側竿体に収納される各中子竿体の後端部を糸導入口の竿先側の位置で位置決めして収納するものがある（実開昭５８−１９２５７５号）。この中通し竿では、元竿の周面に糸導入口を形成するとともに、この糸導入口の配置部分において元竿の内部にストッパを設けている。このストッパの前端に中子竿体の後端部を当接させるとともに、当接面の中心から糸導入口に向かってガイド溝を形成して釣り糸を糸導入口に案内している。
【０００４】
このような中通し竿では、元竿の略全長にわたって竿体を収納する場合に比べて収納時の長さが長くなる。しかし、各竿先側竿体の後端が糸導入口を臨む竿先側の位置に配置されるので、糸導入口から釣り糸経路への糸通しが容易になるとともに内部で釣り糸が絡みにくい。
【０００５】
【発明が解決しようとする課題】
前記従来の構成では、ストッパにガイド溝が形成されているので、糸通しワイヤにより中子竿体の先端から釣り糸を挿入した場合には、釣り糸通路から糸導入口に確実に釣り糸を取り出すことができる。しかし、ストッパが元竿内部に設けられているので、中子竿体が糸導入口より竿尻側に移動できない。このため、ストッパを竿尻側から軸方向に取り出さなければ中子竿体を元竿の竿尻側から抜き出すことができず、振出形式で元竿に収納された中子竿体を分解しづらい。したがって、釣り糸の汚れ等により竿体内部が汚れても内部の清掃を行うことが困難である。
【０００６】
本発明の課題は、中通し竿の糸導入口と釣り糸経路との間で釣り糸の案内を確実に行えかつ竿体の分解を容易に行えるようにすることにある。
【０００７】
【課題を解決するための手段】
発明１に係る中通し竿は、釣り糸が周面から竿体内部に導入され穂先から導出される中通し竿であって、複数の竿体と、導入部本体と、連通口と、糸導入口とを備えている。導入部本体は、竿体のうち竿元側竿体に径方向に着脱可能に装着され、内部に釣り糸の案内経路が形成されている。連通口は、導入部本体の竿先側に形成され案内経路を竿体内部に連通するためのものである。糸導入口は、導入部本体に形成され外部と案内経路とを連通するためのものである。そして、導入部本体の竿先側には、連通口側で手元側竿体に収納される竿体の後端をふらつくことなく保持するための先広がりテーパ状の後端保持部が形成されている。この構造を径方向外方から竿元側竿体の内部に装着すると、竿体内部と糸導入口とが連通口及び案内経路により連通しかつ竿元側竿体に収納される中子竿体の後端がこの構造より竿先側に配置されるので、竿体内部の釣り糸経路と糸導入口との間で釣り糸を確実に案内できる。また、この構造を竿元側竿体内部から径方向外方に取り外すと、竿元側竿体に障害物がなくなるので、中子竿体を竿尻側から簡単に取り出すことができ、各竿体を簡単に分解できる。
【０００８】
発明２に係る中通し竿は、発明１に記載の中通し竿において、前記糸導入口は、釣り糸を竿先側に斜めに導入するように導入部本体に形成されている。この場合には、釣り糸の竿体内部への導入が容易である。
【０００９】
発明３に係る中通し竿は、発明１又は２に記載の中通し竿において、前記糸導入口及び連通口には硬質リングが嵌め込まれている。この場合には、釣り糸が硬質リングに接触しても、釣り糸との摩擦が小さくなり、釣り糸がスムースに案内されるとともに磨耗しにくくなる。
【００１０】
発明４に係る中通し竿は、発明１から３のいずれかに記載の中通し竿において、前記案内経路は径方向に外部に開口している。この場合には、案内経路を外方から目視できるので、釣り糸の竿体内部からの取り出し又は竿体内部への導入がより行いやすくなる。
【００１１】
発明５に係る中通し竿は、発明１から４のいずれかに記載の中通し竿において、前記案内経路は、連通口から糸導入口に滑らかに連続するガイド面を有している。この場合には、竿体内部の釣り糸経路と糸導入口との間で釣り糸をスムーズかつ確実に案内できる。
【００１２】
発明６に係る中通し竿は、発明１から５のいずれかに記載の中通し竿において、連通口には硬質リングが竿元側竿体と同心に埋め込まれている。
【００１３】
【発明の実施の形態】
図１において、本発明の一実施形態による糸導入部が装着された中通し竿１０は、元竿１１（竿先側竿体の一例）と、元竿１１に振出形式で連結された中間竿１２及び穂先竿１３（中子竿体の一例）とを有している。元竿１１、中間竿１２及び穂先竿１３は、それぞれ炭素繊維強化樹脂製のプリプレグをマンドレルに巻回し焼成して得られた先細り筒状部材であり、内部にそれぞれ釣り糸経路１５（図２）が形成されている。
【００１４】
元竿１１の竿尻端部には、尻栓２０が着脱自在に装着されている。また、竿尻部周面には操作用のグリップ２１が配置され、元竿１１の中間部にはリールシート２３が配置されている。リールシート２３には、たとえば、スピニングリール２４が装着される。元竿１１のリールシート２３の竿先側には、糸導入部２５が元竿１１に対して径方向に着脱自在に装着されている。糸導入部２５は、リール２４に巻き付けられた釣り糸Ｌを元竿１１、中間竿１２及び穂先竿１３の内部の釣り糸経路１５に導入するためのものである。
【００１５】
糸導入部２５は、図２〜図４に詳しく説明するように、元竿１１の外周面に形成された略矩形の開口１１ａに着脱自在に装着された合成樹脂製の導入部本体２６を有している。導入部本体２６は、竿尻側が元竿１１の外周面より外方に飛び出しており、そこから竿先側に向かって徐々に低くなっている。導入部本体２６は、開口１１ａを塞ぐように径方向外方から装着可能であり、装着時に元竿１１に着脱方向と逆方向から止めネジ２６ａにより固定される。元竿１１の止めネジ２６ａ取付部分には補強用の厚肉のネジ取付座１１ｂが形成されており、止めネジ２６ａは、ネジ取付座１１ｂに元竿１１を貫通して形成されたネジ穴１１ｃを貫通して導入部本体２６にねじ込まれる。
【００１６】
導入部本体２６は、各竿体内部の釣り糸経路１５に連通する一端に形成された連通口２７と、他端において元竿１１の外周面より外方に斜めに形成された糸導入口２８と、連通口２７と糸導入口２８とを連結する案内経路２９とを有している。案内経路２９の底面は連通口２７から糸導入口２８に向けて滑らかに湾曲する案内面２９ａとなっている。連通口２７には硬質リング３０が元竿１１と同芯に嵌め込まれ、糸導入口２８には釣り糸Ｌを竿先側に斜め下方に向けて導入するように硬質リング３０が斜めに嵌め込まれている。連通口２７の硬質リング３０の嵌め込み部分の竿先側には、中間竿１２の後端部をふらつくことなく保持するための先広がりテーパ状の後端保持部３２が形成されている。案内経路２９の上方は外部に開口しており、釣り糸を内部に挿通するとき、糸通しワイヤや釣り糸を目視しやすくなっている。
【００１７】
また、中間竿１２の後端開口部には筒状の弾性保持体３５がネジ止めされている。弾性保持体３５の後端開口には硬質リング３６が装着されている。この弾性保持体３５の内部に穂先竿１３の後端部が挿入され保持される。穂先竿１３の先端部には他の部分より大径のトップガイド４０が着脱自在に装着されている（図１）。トップガイド４０は、釣り糸経路１５に導入された釣り糸Ｌを先端から外部に引き出すための部材である。穂先竿１３の後端開口部には硬質リング３７が装着されている。
【００１８】
このように構成された中通し竿で、各竿体を伸ばして釣りを行うときには、たとえば穂先竿１３から順に引っ張って中通し竿を所定の長さにして固定する。また、収納時や糸通し時には、穂先竿１３を弾性保持体３５に当接するまで中間竿１２内に縮め、さらに中間竿１２を後端保持部３２に当接するまで元竿１１内に縮めることで、各中子竿体の後端部が連通口２７の竿先側に配置される。
【００１９】
糸通しの際には、この状態で糸通しワイヤを釣り糸の先端に装着しトップガイド４０から釣り糸経路１５に挿入する。そして、糸通しワイヤの先端が連通口２７から出てくると案内経路２９の滑らかな案内面２９ａに案内されて糸導入口２８から導出される。このとき、案内経路２９が上方で開口しているので、連通口２７から糸通しワイヤの先端が出てくればそれを視認でき、より確実に糸導入口２８に糸通しワイヤを案内できる。また、弾性保持体３５や後端保持部３２で中子竿体の後端部が保持されふらつかないので、逆に糸導入口２８から糸通しワイヤを導入して釣り糸経路１５に挿入する場合にも、簡単に糸通しワイヤを挿入できる。
【００２０】
ここでは、釣り糸経路１５と糸導入口２８とが連通口２７及び案内経路２９により連通しかつ収納時に元竿１１に収納される中間竿１２及び穂先竿１３の後端部が糸導入部２５より竿先側に配置され保持されるので、竿体内部の釣り糸経路１５と糸導入口２９との間で釣り糸を確実に案内できる。
【００２１】
また、糸導入部２５を元竿１１から径方向外方に取り外すとともに尻栓２０を取り外すと、元竿１１内に障害物がなくなりかつ元竿１１の後端部が開口するので、中間竿１２を竿尻側から簡単に取り出すことができる。そして、弾性保持体３５とトップガイド４０とを外して穂先竿１３を中間竿１２から取り出せばすべての竿体を簡単に分解できる。このため、釣り糸経路１５に砂等の異物が詰まっても内部の清掃が容易である。
【００２２】
〔他の実施形態〕
（ａ）  糸導入部の構造は前記実施形態に限定されるものではなく、竿元側竿体に径方向に着脱自在に装着されるものであればどのような構造でもよい。
（ｂ）  糸導入部を装着する竿体は元竿に限定されるものではなく、ズーム式の中通し竿では、元竿に伸縮自在に収納される元上竿に装着してもよい。
【００２３】
【発明の効果】
本発明によれば、径方向外方から竿元側竿体の内部に導入部本体を装着すると、竿体内部と糸導入口とが連通口及び案内経路により連通しかつ竿元側竿体に収納される中子竿体の後端がこの構造より竿先側に配置されるので、竿体内部の釣り糸経路と糸導入口との間で釣り糸を確実に案内できる。また、竿元側竿体から径方向外方に取り外すと、竿元側竿体に障害物がなくなるので、中子竿体を竿尻側から簡単に取り出すことができ、各竿体を簡単に分解できる。
【図面の簡単な説明】
【図１】  本発明の一実施形態を採用した中通し竿の側面図。
【図２】  その糸導入部の断面図。
【図３】  糸導入部の平面図。
【図４】  図２のIV−IV断面図。
【符号の説明】
１０  中通し竿
１１  元竿
１２  中間竿
１３  穂先竿
１５  釣り糸経路
２５  糸導入部
２６  導入部本体
２７  連通口
２８  糸導入口
２９  案内経路
２９ａ  案内面
３０，３１  硬質リング
３２  後端保持部
【図１】
0003819068.tif 000002
【図２】
0003819068.tif 000003
【図３】
0003819068.tif 000004
【図４】
0003819068.tif 000005